(57)【特許請求の範囲】
【請求項１】
板厚０．５ミリメートル以上で板厚３．２ミリメートル以下の鋼板の平面部を、プレス加工を用いて該平面部の一部に凹部および／または凸部を設け、該一部に凹部および／または凸部を設けられた鋼板の平面部に曲げ加工または溶接加工を行って収納箱の六面を形成する部材を加工し、該一部に凹部および／または凸部を設けられた鋼板の平面部だけで収納箱の六面が互いに支え合う構造になるように組み立てた後に、溶融亜鉛めっき処理が行われる、屋外用鋼製収納箱。
【請求項２】
前記鋼板の平面部の一部に設けた凹部および／または凸部は、ビーディング加工によるものである、請求項１記載の屋外用鋼製収納箱。
【請求項３】
前記鋼板の平面部の一部に設けた凹部および／または凸部は、エンボシング加工によるものである、請求項１記載の屋外用鋼製収納箱。
【請求項４】
前記鋼板の平面部の一部に設けた凹部および／または凸部は、ビーディング加工およびエンボシング加工によるものである、請求項１記載の屋外用鋼製収納箱。
【請求項５】
板厚０．５ミリメートル以上で板厚３．２ミリメートル以下の鋼板の平面部を、プレス加工を用いて該平面部の一部に凹部および／または凸部を設け、該一部に凹部および／または凸部を設けられた鋼板の平面部に曲げ加工または溶接加工を行って収納箱の六面を形成する部材を加工し、該一部に凹部および／または凸部を設けられた鋼板の平面部だけで収納箱の六面が互いに支え合う構造になるように組み立てた後に、溶融亜鉛めっき処理が行われる、屋外用鋼製収納箱の製造方法。
【請求項６】
前記鋼板の平面部の一部に設けた凹部および／または凸部は、ビーディング加工によるものである、請求項５記載の屋外用鋼製収納箱の製造方法。
【請求項７】
前記鋼板の平面部の一部に設けた凹部および／または凸部は、エンボシング加工によるものである、請求項５記載の屋外用鋼製収納箱の製造方法。
【請求項８】
前記鋼板の平面部の一部に設けた凹部および／または凸部は、ビーディング加工およびエンボシング加工によるものである、請求項５記載の屋外用鋼製収納箱の製造方法。
【発明の詳細な説明】
【技術分野】
【０００１】
本発明は、屋外の風雨や紫外線等に曝される環境において、内部の収納物に対して悪影響を及ぼしにくい収納空間を提供することができる屋外用鋼製収納箱、及び屋外用収納箱の製造方法に関する。
【背景技術】
【０００２】
従来、屋外用鋼製収納箱、特に収納箱の内部に収納するものが、配電、制御操作機器等である場合は、その組合せが一定でないため、客先からの仕様に合わせて製作するのが一般的であり文献としては公表されてない。なお、屋外用鋼製収納箱ではないが、同種の技術的内容として立体駐車場パレットの厚肉大型鋼製パネルに溶融亜鉛めっき処理を行うものが、特許文献１に開示されている。
【先行技術文献】
【特許文献】
【０００３】
【特許文献１】特開２００４−２１７９６９号公報
【発明の概要】
【発明が解決しようとする課題】
【０００４】
従来の屋外用鋼製収納箱においては、堅牢であり、かつ比較的安価で加工が容易という利点よりから鋼製の鉄板(以下、鋼板と略す)が使用されることが多かったが、鋼板であるために錆の問題があり、塗装と異なり比較的長期間(１０年程度)の使用に耐え、屋外用鋼製収納箱の端部の全てに亘って防錆機能を有する防錆処理としては溶融亜鉛めっき処理が一般的に行われる方法であった。しかしながら、鋼板に溶融亜鉛めっき処理を行うと、鋼板自体には圧延時やその後のロール時に残留応力を有している場合が多く、これが溶融亜鉛めっき処理時の高温状態に曝された場合の熱による歪が生じ、溶融亜鉛めっき処理後において屋外用鋼製収納箱に変形が生じ、屋外用鋼製収納箱の基本的な性能である屋外において収納物が雨や塵埃から保護できるという条件を満たさないものとなり、美観においても劣るという問題があった。
【０００５】
そこで、熱による変形を防止するために、鋼板の板厚を変形が生じない程度に厚くするという方法が行われていた。後述する本発明の実施例１の大きさに相当する屋外用鋼製収納箱の場合においては、使用する鋼板の板厚を３．２ミリメートル以上にする必要があった。しかしながら、鋼板の板厚を厚くした場合には、それに伴って屋外用鋼製収納箱の重量が増加し、運搬時作業時の取り回し悪さや、これを構造物等に取り付け固定するために重量に見合った補強や重量に見合った固定方法を選択することが必要となり取り付け時間および取り付けのための経費が掛かることとなった。また、屋外用鋼製収納箱自体が重いということは、屋外用鋼製収納箱の材料費が増加するという問題があった。
【０００６】
また、特許文献１に記載されているように、鋼板の変形する箇所に補強プレートを溶接して取り付ける方法もある。補強プレートを溶接して取り付ける方法では、特許文献１にあるように効果的な補強プレートは平面部に対して起立させて配置させる方法が一般的である。しかしながら、立体駐車場パレットの厚肉大型鋼製パネルと異なり、屋外用鋼製収納箱という性質上、屋外用鋼製収納箱の外部に補強プレートを溶接した場合においては、起立して配置した補強プレートの端部が外部に露出するので、取り扱い時等の危険性があることや、外観の見栄えが悪くなる。また、屋外用鋼製収納箱の内部に起立して配置した補強プレートを溶接した場合は、補強プレートの端部が屋外用鋼製収納箱の内部に露出するので、収納物の取り付け時、取り外しの時、収納物の操作時、メンテナンス時等において、これを行う作業者に対して危険性が発生する場合があり、また、収納物の保護の観点からも内部に端部があることは収納物を傷つける等、好ましくないものとなる。さらに、補強プレートを溶接することは、組立工数や部品の増加が発生し、屋外用鋼製収納箱の製作時間および経費が増加することや、鋼板の板厚は低減できても補強プレート分の重量は増加するので、屋外用鋼製収納箱全体としての重量の低減もそれほど図れないという問題があった。
【課題を解決するための手段】
【０００７】
上記の課題を解決するため、本発明では、次の技術的手段を講じている。
【０００８】
第１発明の屋外用鋼製収納箱は、板厚０．５ミリメートル以上で板厚３．２ミリメートル以下の鋼板の平面部を、プレス加工を用いて該平面部の一部に凹部および／または凸部を設け、該一部に凹部および／または凸部を設けられた鋼板の平面部に曲げ加工または溶接加工を行って収納箱の六面を形成する部材を加工し、該一部に凹部および／または凸部を設けられた鋼板の平面部だけで収納箱の六面が互いに支え合う構造になるように組み立てた後に、溶融亜鉛めっき処理が行われる技術手段を講じている。
【０００９】
第２発明の屋外用鋼製収納箱は、請求項１記載の発明において、前記鋼板の平面部の一部に設けた凹部および／または凸部は、ビーディング加工によるものである技術手段を講じている。
【００１０】
第３発明の屋外用鋼製収納箱は、請求項１記載の発明において、前記鋼板の平面部の一部に設けた凹部および／または凸部は、エンボシング加工によるものである技術手段を講じている。
【００１１】
第４発明の屋外用鋼製収納箱は、請求項１記載の発明において、前記鋼板の平面部の一部に設けた凹部および／または凸部は、ビーディング加工およびエンボシング加工によるものである技術手段を講じている。
【００１２】
第５発明の屋外用鋼製収納箱及び屋外用収納箱の製造方法は、板厚０．５ミリメートル以上で板厚３．２ミリメートル以下の鋼板の平面部を、プレス加工を用いて該平面部の一部に凹部および／または凸部を設け、該一部に凹部および／または凸部を設けられた鋼板の平面部に曲げ加工または溶接加工を行って収納箱の六面を形成する部材を加工し、該一部に凹部および／または凸部を設けられた鋼板の平面部だけで収納箱の六面が互いに支え合う構造になるように組み立てた後に、溶融亜鉛めっき処理が行われる技術手段を講じている。
【００１３】
第６発明の屋外用収納箱の製造方法は、請求項５記載の発明において、前記鋼板の平面部の一部に設けた凹部および／または凸部は、ビーディング加工によるものである技術手段を講じている。
【００１４】
第７発明の屋外用収納箱の製造方法は、請求項５記載の発明において、前記鋼板の平面部の一部に設けた凹部および／または凸部は、エンボシング加工によるものである技術手段を講じている。
【００１５】
第８発明の屋外用収納箱の製造方法は、請求項５記載の発明において、前記鋼板の平面部の一部に設けた凹部および／または凸部は、ビーディング加工およびエンボシング加工によるものである技術手段を講じている。
【発明の効果】
【００１６】
以上のような、技術的手段を有することにより、以下の効果を有する。
【００１７】
第１発明によれば、鋼板の板厚を薄くし、溶融亜鉛めっき処理をおこなっても溶融亜鉛めっき処理による熱変形を生じにくく、かつ、重量の低減が図れた溶融亜鉛めっき処理を施した屋外用鋼製収納箱となる。
第２発明によれば、第１発明を利用することで、熱変形が生じにくく重量の低減が図れると同時に、安全かつ見栄えも良い屋外用鋼製収納箱となる。
第３発明によれば、第１発明を利用することで、熱変形が生じにくく重量の低減が図れると同時に、安全かつ見栄えも良い屋外用鋼製収納箱となる。
第４発明によれば、第１発明を利用することで、熱変形が生じにくく重量の低減が図れると同時に、安全かつ見栄えも良い屋外用鋼製収納箱となる。
第５発明によれば、鋼板の板厚を薄くし、溶融亜鉛めっき処理をおこなっても溶融亜鉛めっき処理による熱変形を生じにくく、かつ、重量の低減が図れた溶融亜鉛めっき処理を施した屋外用鋼製収納箱の製造方法が提供できる。
第６発明によれば、第５発明を利用することで、熱変形が生じにくく重量の低減が図れると同時に、安全かつ見栄えも良い屋外用鋼製収納箱の製造方法が提供できる。
第７発明によれば、第５発明を利用することで、熱変形が生じにくく重量の低減が図れると同時に、安全かつ見栄えも良い屋外用鋼製収納箱の製造方法が提供できる。
第８発明によれば、第５発明を利用することで、熱変形が生じにくく重量の低減が図れると同時に、安全かつ見栄えも良い屋外用鋼製収納箱の製造方法が提供できる。
【図面の簡単な説明】
【００１８】
【図１】本発明に係る実施例１の屋外用鋼製収納箱の全体図である。
【図２】本発明に係る実施例１の屋外用鋼製収納箱の分解図である。
【図３】本発明に係る実施例１の屋外用鋼製収納箱の扉の説明図である。
【図４】図３に示す屋外用鋼製収納箱の扉のＡ−Ａ断面図である。
【図５】図３に示す屋外用鋼製収納箱の扉のＢ−Ｂ断面図である。
【図６】本発明に係る実施例２の屋外用鋼製収納箱の扉の説明図である。
【図７】図６に示す屋外用鋼製収納箱の扉のＣ−Ｃ断面図である。
【図８】本発明に係る実施例３の屋外用鋼製収納箱の扉の説明図である。
【図９】図８に示す屋外用鋼製収納箱の扉のＣ−Ｃ断面図である。
【発明を実施するための形態】
【００１９】
発明を実施する形態について、図面に基づいて具体的に説明する。
【実施例１】
【００２０】
(屋外用鋼製収納箱の外観及びその機能)
図１に示す屋外用鋼製収納箱1は、全体として略直方体で、その外形寸法は、幅約４００ミリメートル、高さ約４４０ミリメートル、奥行き約１８０ミリメートルである。正面側には扉１１があり、扉１１に取り付けられているレバーハンドル２１を逆時計回りに９０度回転させると、レバーハンドル２１と連動して扉１１の内部にある錠板(図示せず)が回転して扉１１の固定が解除され、扉１１を開くことができる。
【００２１】
扉１１を開くと屋外用鋼製収納箱１の内部には５面を鋼板で囲まれた収納空間が設けられている。収納空間は外形寸法よりやや小さい空間となり、本実施例の場合の用途としては内部の収納空間に屋外用鋼製収納箱１の内部に設けられた取付板(後述する)に配電盤、制御盤、操作機器等の収納物が螺子等により取り付けられ、この収納物が屋外環境下において保護されるものとなっている。
【００２２】
屋外用鋼製収納箱1の背面部には固定具２２が４個取り付けられており、これにより、屋外用鋼製収納箱1を建物等の構造物に固定することができる。
【００２３】
(屋外用鋼製収納箱を構成する部品)
図２は屋外用鋼製収納箱1の分解図である。板厚約１．６ミリメートルの鋼板より成る主な部材は、扉１１、屋根板１２、右側板１３、左側板１４、背板１５、天板１６、底板１７、取付板１８であり、これにより屋外用鋼製収納箱1の骨格部分が構成されている。実施例１においては、右側板１３、左側板１４及び背板１５は１枚の鋼板を折り曲げることによって成形されている。なお、板厚が従来必要であった３．２ミリメートルより１．６ミリメート変更可能であることから、構成する主要な部材の重量がそれぞれ半分になり、それに伴って屋外用鋼製収納箱1の全体重量も半分程度となる。
【００２４】
(扉)
扉１１は縦約４００ミリメートル、幅約４００ミリメートルの平面部と、平面部から連なる四方の端部を約３０ミリメートルの幅で直角に折り曲げた、深さ約３０ミリメートルの箱状の形状となっている。
【００２５】
扉１１の平面部は、屋外用鋼製収納箱１の内側に向かってへこむ６箇所のビーディンク加工部３１、３２、３３、３４、３５、３６がプレス加工によって成形されている。ビーディンク加工部３１、３２、３３、３４、３５、３６の形状は、長さは異なるが、幅約１２ミリメートル、深さ約５ミリメートルと同一であり、直線状の丸みを有した凹形状となっている。なお、ビーディング加工とは、ビード付けとも言われ、細い紐状の成形のことである。扉１１の外側から見た場合は凹形状となるが、扉１１の内面側から見た場合は凸形状となる。
【００２６】
ビーディンク加工部３１、３２は、長さ約約３００ミリメートルで屋外用鋼製収納箱１の組立て時の横方向に配置され(以下、配置についての説明は屋外用鋼製収納箱１の組立て時における位置関係によって説明する。)、扉１１の上下の折り曲げ部から、その中心線が約４０ミリメートル内側にあり、扉１１の左右の折り曲げからは等距離になるように配置されている。ビーディンク加工部３３、３４は、長さ約２８０ミリメートルで縦方向に配置され、扉１１の左右の折り曲げ部から、その中心線が約４０ミリメートル内側にあり、扉１１の上下の折り曲げからは等距離になるように配置されている。ビーディンク加工部３５、３６は、長さ約１６０ミリメートルで縦方向に配置され、扉１１の左右の折り曲げ部から、その中心線が約１４５ミリメートル内側にあり、扉１１の上下の折り曲げからは等距離になるように配置されている。
【００２７】
なお、具体的なビーディンク加工部３１、３２、３３、３４、３５、３６の形状、配置については、図３の扉１１の拡大図及びこれに対応する、図４と図５の断面図によって詳細に示してある。
【００２８】
(屋根板)
屋根板１２は扉１１側の幅約４００ミリメートル、奥行き約２３０ミリメートルの平面部を有し、平面部から連なる四方の端部が正面側に短く、背面側に長い形状で、屋外用鋼製収納箱１に組み付けた場合に正面方向に向かってやや下り勾配となる箱形形状に折り曲げられている。屋外用鋼製収納箱1として組立てた場合は、図１にも示すように、正面側の端部が前方に迫り出して庇状となっており、正面側を覆う扉１１を開閉した場合であっても内部の雨が入り難い形状となっている。なお、屋根板１２には天板１６に取り付けるための屋根板取付金具(図示せず)が別部品としてあり、これを屋根板１２の内面に溶接されるものとなっている。
【００２９】
屋根板１２の平面部は、屋外用鋼製収納箱１の外側に向かって膨らむ４箇所のビーディンク加工部３７、３８、３９、４０がプレス加工によって成形されている。ビーディンク加工部３７、３８、３９、４０の形状は、長さ約１８０ミリメートル、幅約１２ミリメートル、高さ約５ミリメートルと同一であり、直線状の丸みを有した凸形状となっている。
【００３０】
ビーディンク加工部３７、４０は、前後方向に配置され、屋根板１２の左右の折り曲げ部から、その中心線が約４５ミリメートル内側にあり、屋根板１２の前後の折り曲げからは等距離になるように配置されている。ビーディンク加工部３８、３９は、前後方向に配置され、屋根板１２の左右の折り曲げ部から、その中心線が約１５０ミリメートル内側にあり、屋根板１２の前後の折り曲げからは等距離になるように配置されている。
【００３１】
(右側板、左側板及び背板)
右側板１３、左側板１４及び背板１５は、背板１５が縦約４００ミリメートル、幅約４００ミリメートルの平面部、右側板１３及び左側板１４がそれぞれ縦約４００ミリメートル、奥行き約１５０ミリメートルの平面部を有し、一枚の鋼板を折り曲げ加工して大きいコの字形状となっている。また、右側板１３及び左側板１４の両端部で扉１１と対向する両側には短い幅のコノ字に曲げた部分があり、扉１１とシール材(図示せず)を介して密着することで防水性能を有する構造となっている。
【００３２】
右側板１３、左側板１４及び背板１５の平面部は、屋外用鋼製収納箱１の外側に向かって７箇所のビーディンク加工部４１、４２、４３、４４、４５、４６、４７がプレス加工によって成形されている。ビーディンク加工部４１、４２、４３、４４、４５、４６、４７の形状はすべて同一で、長さ約３５０ミリメートル、幅約１２ミリメートル、高さ約５ミリメートルの直線状の丸みを有した凸形状となっている。
【００３３】
右側板１３のビーディンク加工部４１、４２は、縦方向に配置され、右側板１３の左右の折り曲げ部から、その中心線が約３０ミリメートル内側にあり、右側板１３の上下の端部からは等距離になるように配置されている。左側板１４のビーディンク加工部４３、４４は、縦方向に配置され、左側板１４の左右の折り曲げ部から、その中心線が約３０ミリメートル内側にあり、左側板１４の上下の端部からは等距離になるように配置されている。背板１５のビーディンク加工部４５、４６、４７は、縦方向に配置され、ビーディンク加工部４５、４７については背板１５の左右の折り曲げ部から、その中心線が約５５ミリメートル内側にあり、ビーディンク加工部４６については背板１５の左右の折り曲げ部から等距離となるよう配置されている。背板１５の上下の端部からの距離はビーディンク加工部４５、４６、４７の何れも、等距離になるように配置されている。
【００３４】
(天板)
天板１６は幅約４００ミリメートル、奥行き約１５０ミリメートルの平面部を有し、扉１１と対向する前側には短い幅のコノ字に曲げた部分があり、扉１１とシール材(図示せず)を介して密着することで防水性能を有する構造となっている。
【００３５】
天板１６の平面部は、屋外用鋼製収納箱１の外側に向かって膨らむ3箇所のビーディンク加工部４８、４９、５０がプレス加工によって成形されている。ビーディンク加工部４８、４９、５０の形状は、長さ約８０ミリメートル、幅約１２ミリメートル、高さ約５ミリメートルと同一であり、直線状の丸みを有した凸形状となっている。
【００３６】
ビーディンク加工部４８、５０は、前後方向に配置され、天板１６の左右の端部から、その中心線が約９５ミリメートル内側にあり、天板１６の前側折り曲げ及び後側の端部からは等距離になるように配置されている。ビーディンク加工部４９は、前後方向に配置され、天板１６の左右の端部、前側折り曲げ部及び後側の端部からは等距離になるように配置されている。
【００３７】
(底板)
底板１７は幅約４００ミリメートル、奥行き約１５０ミリメートルの平面部を有し、扉１１と対向する前側には短い幅のコノ字に曲げた部分があり、扉１１とシール材(図示せず)を介して密着することで防水性能を有する構造となっている。
【００３８】
底板１７の平面部は、屋外用鋼製収納箱１の内側に向かってへこむ3箇所のビーディンク加工部５１、５２、５３がプレス加工によって成形されている。ビーディンク加工部５１、５２、５３の形状は、長さ約１００ミリメートル、幅約１２ミリメートル、高さ約５ミリメートルと同一であり直線状の丸みを有した凹形状となっている。
【００３９】
ビーディンク加工部５１、５３は、前後方向に配置され、底板１７の左右の端部から、その中心線が約９５ミリメートル内側にあり、底板１７の前側折り曲げ及び後側の端部からは等距離になるように配置されている。ビーディンク加工部５２は、前後方向に配置され、底板１７の左右の端部、前側折り曲げ部及び後側の端部からは等距離になるように配置されている。
【００４０】
(取付板)
取付板１８は縦約３２０ミリメートル、幅約３２０ミリメートルの平面部と、平面部から連なる四方の端部を約１０ミリメートルの幅で直角に折り曲げた、深さ約１０ミリメートルの箱状の形状となっている。取付板１８には４個の孔があり、後述する取付金具２４を介して背板１５に螺子（図示せず）により取り付けられる。
【００４１】
取付板１８の平面部は、屋外用鋼製収納箱１の内側に向かってへこむ５箇所のビーディンク加工部５４、５５、５６、５７、５８がプレス加工によって成形されている。ビーディンク加工部５４、５５、５６、５７、５８の形状は、長さは異なるが、幅約１２ミリメートル、深さ約５ミリメートルと同一であり、直線状の丸みを有した凹形状となっている。
【００４２】
ビーディンク加工部５４、５５は、長さ約約２２０ミリメートルで屋外用鋼製収納箱１の組立て時の横方向に配置され取付板１８の上下の折り曲げ部から、その中心線が約５５ミリメートル内側にあり、取付板１８の左右の折り曲げからは等距離になるように配置されている。ビーディンク加工部５６、５８は、長さ約１８０ミリメートルで縦方向に配置され、取付板１８の左右の折り曲げ部から、その中心線が約５５ミリメートル内側にあり、取付板１８の上下の折り曲げからは等距離になるように配置されている。ビーディンク加工部５７は、長さ約１８０ミリメートルで縦方向に配置され、取付板１８の左右の折り曲げ部のから等距離で、扉１１の上下の折り曲げからは等距離になるように配置されている。
【００４３】
(その他部材)
レバーハンドル２１は扉１１の貫通孔２５に差込んで留めることにより扉１１の内部にある錠板と連動して扉１１の開閉及び閉時の係止ができるものである。
【００４４】
固定金具２２は４個使用されている。４個の固定金具２２は、構造物へ取り付けるための孔が露出するように、右側板１３及び左側板１４からはみ出して、背板１５に溶接されるものである。背板１５に対する縦方向の溶接位置は、背板１５の上下の端部から取り付け用の孔を通る中心線までが約５０ミリメートルであり、横方向の溶接位置は、４個の固定金具２２の構造物へ取り付けるための孔が約３０ミリメートル背板１５から露出するように配置されている。
【００４５】
蝶番ａ２３Ａと蝶番ｂ２３Ｂはピン(図示せず)を介して組み合わせると１個の蝶番となるものであり、この組み合わせた蝶番ａ２３Ａと蝶番ｂ２３Ｂが２組み使用されている。蝶番とは、丁番又はヒンジとも言われる場合があり、実施例１に使用するものは鋼製である。蝶番ａ２３Ａは扉１１に、蝶番ｂ２３Ｂは右側板１３の端部で扉１１と対向する側の短い幅のコノ字に曲げた部分に溶接され、ピンを介して組み合わされるとピンを軸とする扉１１の開閉が可能となっている。
【００４６】
取付金具２４は取付板１８を背板１５に螺子により固定するための金具であり、４個の取付金具２４が背板１５の内側に、取付板１８の孔に対応するように溶接される。
【００４７】
(製造方法)
実施例１の製造方法について、図２を用いて説明する。
【００４８】
(プレス加工)
扉１１については、ビーディンク加工部３１、３２、３３、３４、３５、３６のビーディング加工が行われた後に貫通孔２４の孔加工が行われ、上下左右四方向の折り曲げ加工が行われる。屋根板１２については、ビーディンク加工部３７、３８、３９、４０のビーディング加工が行われた後に、前後左右四方向の折り曲げ加工が行われる。右側板１３、左側板１４及び背板１５については、屋外用鋼製ビーディンク加工部４１、４２、４３、４４、４５、４６、４７のビーディング加工が行われた後に、右側板１３及び左側板１４端部の小さいコノ字曲げの加工が行われ、背板１５より右側板１３及び左側板１４が立ち上げる折り曲げ加工が行われる。天板１６については、ビーディンク加工部４８、４９、５０のビーディング加工が行われた後に、前側の端部の小さいコノ字曲げの加工が行われる。底板１７については、ビーディンク加工部５１、５２、５３のビーディング加工が行われた後に、前側の端部の小さいコノ字曲げの加工が行われる。取付板１８については、ビーディンク加工部５４、５５、５６、５７、５８のビーディング加工が行われた後に、上下左右４方向の折り曲げ加工を行われる。なお、螺子を取り付けるための小径の孔加工についてはビーディング加工と同時に行われている。
【００４９】
(溶接加工)
次に、右側板１３、左側板１４及び背板１５の上部に天板１６が端部を突き合わせた状態で溶接され、同時に右側板１３、左側板１４及び背板１５の下部に底板１７が端部を突き合わせた状態で溶接される。この天板１６及び底板１７が溶接された右側板１３、左側板１４及び背板１５として一体となったものの右側板１３の端部に、蝶番ｂ２３Ｂが２個溶接され、同時に背板１５の外面には４個の固定金具２２が溶接され、背板１５の内面には４個の取付金具２４が溶接される。次に扉１１については、扉１１の角の突合せ部４箇所が溶接された後に、扉１１の右端部には蝶番ａ２３Ａが２個溶接される。蝶番ａ２３Ａおよび蝶番ｂ２３Ｂの溶接位置は、扉１１又は右側板１３の上下折り曲げ部(上下端部)から蝶番ａ２３Ａおよび蝶番ｂ２３Ｂを組み合わせた状態での中心線までが約７５ミリメートルとしている。なお、屋根板１２については内面に天板１６と螺子(図示せずにより連結するための屋根板取付金具(図示せず)が溶接されている。
【００５０】
(溶融亜鉛めっき処理)
扉１１の溶接加工後の扉部と、屋根板１２の溶接加工後の屋根部と、それ以外の右側板１３等の溶接加工後の本体部と、取付板１８の以上の４点が溶融亜鉛めっき処理の対象となる。これらに対して下処理が施された後、摂氏約４５０度溶融した亜鉛が満たされた溶融亜鉛めっき槽に扉部、屋根部、本体部および取付板１８が約１分間漬けられる。次ぎに溶融亜鉛めっき槽より約３分間引き上げた状態で放置され、鋼板の鉄と亜鉛の接触面において合金層が形成されるようにする。この合金層が鋼板の錆等の発生を防ぐ皮膜となる。その後、冷水の満たした冷水層に約１分間漬けられる。
【００５１】
(最終組み付け)
溶融亜鉛めっき処理後、扉１１よりなる扉部にレバーハンドル２１が取り付けられ、本体部と扉部が蝶番ａ２３Ａと蝶番ｂ２３Ｂでピンを介して組立てられる。また、本体部の内部の背板１５に溶接された４個の取付金具２４に取付板１８が螺子により取り付けられる。本体部の天板１６と屋根板１２よりなる屋根部とが螺子にて取り付けられ、屋外用鋼製収納箱１は完成する。
【実施例２】
【００５２】
実施例２について、図６及び、図７により説明する。
【００５３】
実施例２の、実施例１からの相違点については、実施例１が各構成部品の平面部にビーディング加工が施されたものであり、実施例２は各構成部品の平面部にエンボシング加工が施されたものである。よって、基本的な屋外用鋼製収納箱の構成部品及びその製造方法についてはビーディング加工をエンボシング加工に置き換えられただけであるのでその説明は省略する。屋外用鋼製収納箱１の扉についてエンボシング加工が施された例が扉１９である。エンボシング加工は自由な形状の浅い凹部または凸部を鋼板にプレス加工するものである。扉１９において、エンボシング加工部７１は、扉１９の上下左右の折り曲げ部より約４０ミリメートル内側に屋外用鋼製収納箱の外側に向かって高さ約５ミリメートルの凸形状であり、角に丸みをつけた略正方形の形状である。屋根板、右側板、左側板、背板、天板、底板、取付板の平面部にエンボシング加工を施す場合は、扉１９の例と同様にほぼ、平面部の折り曲げ部や端部から約４０ミリメートル程度内側に、角に丸みをつけた略正方形や直方形のエンボシング加工部を設けると良い。
【実施例３】
【００５４】
実施例３について、図８及び、図９により説明する。
【００５５】
実施例３の、実施例１からの相違点については、実施例３が各構成部品の平面部にビーディング加工が施されたものであり、実施例３は各構成部品の平面部にビーディング加工及びエンボシング加工が施されたものである。よって、基本的な屋外用鋼製収納箱の構成部品及びその製造方法についてはビーディング加工をビーディング加工とエンボシング加工に置き換えられただけであるのでその説明は省略する。屋外用鋼製収納箱１の扉についてエンボシング加工が施された例が扉２０である。エンボシング加工部７２は、扉２０のほぼ中央部で、直径約６０ミリメートルの円形であり、屋外用鋼製収納箱の外側に向かって高さ約５ミリメートルの凸形状である。またビーディング加工部５９、６０、６１、６２の形状はすべて同一で、長さが約１８５ミリメートル幅約１２ミリメートル、深さ約５ミリメートルの直線状の丸みを有し、屋外用鋼製収納箱の内側に向かった凹形状となっている。ビーディング加工部５９、６０、６１、６２の設置位置は、扉２０の対角線上あって、各四つの角より内側に約５０ミリメートルの位置より始まっている。屋根板、右側板、左側板、背板、天板、底板、取付板の平面部にビーディング加工及びエンボシング加工を施す場合は、扉２０の例と同様にほぼ、平面部中央にエンボシング加工を設け、対角線上にビーディンク加工を設けると良い。
【００５６】
(その他の例)
前記の実施例１、実施例２及び実施例３以外にも、ビーディング加工とエンボシング加工についてはその形状及び平面部に対する設置位置や範囲については様々なものが考えられる。
【００５７】
ビーディング加工部の形状については実施例１又は実施例３の幅約１２ミリメートル及び深さ(高さ)約５ミリメートル以外にも様々な形状が考えられる。ビーディング加工の深さ(高さ)については深めにした方が溶融亜鉛めっき処理時の熱変形を防止する効果は大きいが、鋼板の板厚と、鋼板の延性により限界はある。
【００５８】
ビーディング加工の幅については、鋼板の板厚との関係により決まり、余り広くするとエンボシング加工とかわらないものとなる。なお、ビーディング加工とエンボシング加工長所及び短所については、エンボシング加工については、その鋼板の平面部に形状に合わせた金型を制作する必要があることや、一回に行う加工面積が大きくなることから、比較的大型のプレス機械を使用する必要があり、初期投資や設備の面において費用の負担が大きいが、工数を少なくすることが可能であることから同一形状の屋外用鋼製収納箱を多量に製作する場合に適している。ビーディング加工については、各種の形状の平面部に汎用の単発の金型を組み合わせることが可能であり、比較的小型のプレス機械が使用できる。よって初期投資や設備の面において費用の負担が少ないが、プレス加工を行う工数は増える。よって客先からの仕様に合わせた少量生産に対応可能である。
【００５９】
ビーディング加工とエンボシング加工の鋼板の平面部に対する位置及び範囲については、溶融亜鉛めっき処理時の熱変形が平面部のどの箇所にでるかは、鋼板の圧延時やロール時の残留応力との関係があり、平面部の全体にほぼ均等になるようにその範囲及び位置を決める。鋼板の板厚が実施例１と同程度であり、形状も実施例１と同様の箱形状であって平面部の四方が折り曲げ部や溶接部と接している場合においては、その折り曲げ部や溶接部から、３０ミリメートル乃至５０ミリメートル程度離した位置よりビーディング加工とエンボシング加工の始点を設けることにより溶融亜鉛めっき処理時の熱変形を防止する効果がある。よって、平面部に折り曲げ部や溶接部でない端部がある場合はその端部の近傍にビーディング加工とエンボシング加工の始点を設ける必要がある。
【００６０】
ビーディング加工とエンボシング加工が必要な鋼板の平面部の広さについては、鋼板の圧延時やロール時の残留応力が鋼種によって異なることや、鋼板の板厚との関係により一概に言うことはできない。鋼板の板厚が実施例１と同程度であり、平面部の面積が約１００ミリメートル×約１００ミリメートル以上ある場合は、ビーディング加工または／およびエンボシング加工を行った方が良い。ただし、長さが長くとも幅が短い場合(約２０ミリメートル以下)で長手方向の一方が曲げ部や溶接部と接している場合においては、溶融亜鉛めっき処理時の熱変形はほとんど発生しない。なお、溶融亜鉛めっき処理時の熱変形は、平面部の面積が広くなるほど熱変形も大きくなる。
【００６１】
ビーディング加工とビーディング加工の屋外用鋼製収納箱に対する凹形状または凸形状の選択については、すくなくとも、屋外用であることから、雨が凹部に溜まることを防ぐ必要があり、屋根板、及び天板については外側に凸形状、底板については、外側に凹形状とする必要がある。また、収納物の取付板については、取付面を確保する必要があるため収納物の取付面側が凸形状となることを避ける必要がある。その他の平面部については、内容積や美観等を考慮してどちら側に突き出しても溶融亜鉛めっき処理時の熱変形を防ぐ目的についての差異はない。
【符号の説明】
【００６２】
１：屋外用鋼製収納箱
１１、１９、２０：扉
１２：屋根板
１３：右側板
１４：左側板
１５：背板
１６：天板
１７：底板
１８：取付板
２１：レバーハンドル
２２：固定金具
２３Ａ：蝶番ａ
２３Ｂ：蝶番ｂ
２４：取付金具
２５：貫通孔
３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２：ビーディング加工部
７１、７２：エンボシング加工部
【図１】
0005523029.tif 000002
【図３】
0005523029.tif 000003
【図４】
0005523029.tif 000004
【図５】
0005523029.tif 000005
【図６】
0005523029.tif 000006
【図７】
0005523029.tif 000007
【図８】
0005523029.tif 000008
【図９】
0005523029.tif 000009
【図２】
0005523029.tif 000010